(57)【要約】【課題】  通電中に設定モジュールの取り外しができない回路遮断器を提案する。【解決手段】  遮断器ベースに配置される電気接点を覆う遮断器カバーに取付窓を形成し、設定モジュールを取り付けるために、遮断器ベースには本体側係合部を、また前記設定モジュールにはモジュール側係合部をそれぞれ配設する。遮断器カバーが遮断器ベースに取り付けられた状態において、設定モジュールは、取付窓を通じて遮断器ベースに向かって挿入され、モジュール側係合部を本体側係合部に係合して遮断器ベースに取り付けられ、またモジュール側係合部と本体側係合部との係合を解除する操作が前記遮断器カバーにより不能とされている。【選択図】図４
2005149756.tif 000002
【特許請求の範囲】
【請求項１】
遮断器ベースと、この遮断器ベース上に配置され電路に流れる電流を遮断する接点と、前記電路に流れる電流を検出して前記接点を開路させる遮断信号を発生する制御回路と、前記遮断器ベースに取り外し可能に取り付けられ前記接点を覆う遮断器カバーとを有する遮断器本体、および前記遮断器本体に取り外し可能に取り付けられ前記制御回路の動作特性を設定する設定モジュールを備えた回路遮断器であって、
前記遮断器カバーには取付窓が形成され、前記遮断器ベースには本体側係合部を、また前記設定モジュールにはモジュール側係合部をそれぞれ配設し、
前記遮断器カバーが前記遮断器ベースに取り付けられた状態において、前記設定モジュールは、前記取付窓を通じて前記遮断器ベースに向かって挿入され、前記モジュール側係合部を前記本体側係合部に係合して前記遮断器ベースに取り付けられており、また前記モジュール側係合部と本体側係合部との係合を解除する操作が前記遮断器カバーにより不能とされていることを特徴とする回路遮断器。
【請求項２】
請求項１記載の回路遮断器であって、前記遮断器カバーを前記遮断器ベースから取り外した状態において、前記設定モジュールは、そのモジュール側係合部を操作して、前記本体側係合部との係合を解除できるように構成されていることを特徴とする回路遮断器。
【請求項３】
請求項１記載の回路遮断器であって、前記設定モジュールは、両側に一対の取付板部を有するモジュールベースを備え、前記各取付板部の裏面に、前記モジュール側係合部がそれぞれ突設されていることを特徴とする回路遮断器。
【請求項４】
請求項３記載の回路遮断器であって、前記モジュールベースは、前記各取付板部と前記各モジュール側係合部とともに樹脂により一体に形成され、前記各モジュール係合部がスナップ動作により前記本体側係合部に係合されることを特徴とする回路遮断器。
【請求項５】
請求項１記載の回路遮断器であって、前記遮断器カバーが前記遮断器ベースに取り付けられ、しかも前記設定モジュールが前記遮断器本体に取り付けられた状態では、前記遮断器カバーの取付窓の開口壁が前記各取付部の外縁の僅かに外側に位置し、前記各モジュール側係合部を操作して前記本体側係合部との係合を解除する操作が、前記遮断器カバーにより阻止されることを特徴とする回路遮断器。
【請求項６】
請求項１記載の回路遮断器であって、前記設定モジュールが前記遮断器本体から取り外された状態で、前記設定モジュールに代わり、ダミーモジュールが取り付け可能とされたことを特徴とする回路遮断器。
【請求項７】
請求項６記載の回路遮断器であって、前記ダミーモジュールはモジュールベースを有し、このモジュールベースの両側に一対の取付板部が設けられ、この各取付板部の裏面にはモジュール側係合部がそれぞれ突設され、また前記各取付板部の表面には係合解除レバーが突設されていて、この係合解除レバーにより、前記ダミーモジュールのモジュール側係合部と前記本体側係合部との係合が解除されることを特徴とする回路遮断器。
【請求項８】
請求項７記載の回路遮断器であって、前記ダミーモジュールの各取付板部に脆弱部が形成されたことを特徴とする回路遮断器。
【請求項９】
請求項８記載の回路遮断器であって、前記脆弱部が複数の小孔を有することを特徴とする回路遮断器。
【請求項１０】
請求項１記載の回路遮断器であって、前記設定モジュールには、それが前記遮断器本体に取り付けられたことを表示する表示手段が設けられたことを特徴とする回路遮断器。
【発明の詳細な説明】
【技術分野】
【０００１】
この発明は、回路遮断器、とくに接点を開路させる遮断信号を発生する制御回路の動作特性を設定する設定モジュールを有する回路遮断器に関するものである。
【背景技術】
【０００２】
特開２０００−３０６４８９号公報には、電子式トリップ装置を有する回路遮断器が開示されている。この先行技術に開示された電子式トリップ装置は、取り外し自在のモジュールを有し、この取り外し自在のモジュールは、設定装置と関連して長期遅延保護パラメータを決定するものとされ、プリント回路に支持された演算処理回路と関連して動作するものとされる。この取り外し自在のモジュールは、前記先行技術の図１１に示されるように、ケースに対して取り外し自在に取り付けられる。
【０００３】
【特許文献１】特開２０００−３０６４８９号公報
【発明の開示】
【発明が解決しようとする課題】
【０００４】
しかし、先行技術に開示された電子式トリップ装置では、取り外し自在の設定モジュールを回路遮断器の通電中にも容易に取り外しが可能であり、通電中にこの設定モジュールが取り外された場合には、回路遮断器に内蔵されたマイクロコンピュータなどが誤動作して、回路遮断器が不特定の回路電流で引き外される不安定動作を引き起こす。この不都合を防止するために、設定モジュールの取り外しを困難にするなどの対策を講じることが考えられるが、設定モジュールの取り外しが困難な構造とすると、設定モジュールの取り付けも困難となる不都合が発生する。
【０００５】
この発明は、設定モジュールの取り付けを簡単にできるようにしながら、併せて通電中に設定モジュールが取り外されることがないように改良された回路遮断器を提案するものである。
【課題を解決するための手段】
【０００６】
この発明による回路遮断器は、遮断器ベースと、この遮断器ベース上に配置され電路に流れる電流を遮断する接点と、電路に流れる電流を検出して接点を開路させる遮断信号を発生する制御回路と、前記遮断器ベースに取り外し可能に取り付けられ接点を覆う遮断器カバーとを有する遮断器本体、および前記遮断器本体に取り外し可能に取り付けられ前記制御回路の動作特性を設定する設定モジュールを備えた回路遮断器である。
前記遮断器カバーには取付窓が形成され、前記遮断器ベースには本体側係合部が、また前記設定モジュールにはモジュール側係合部がそれぞれ配設され、
前記遮断器カバーが前記遮断器ベースに取り付けられた状態において、前記設定モジュールは、前記遮断器カバーの取付窓を通じて前記遮断器ベースに向かって挿入され、前記モジュール側係合部を前記本体側係合部に係合して前記遮断器本体に取り付けられており、また前記モジュール側係合部と本体側係合部との係合を解除する操作が前記遮断器カバーにより不能とされていることを特徴とする。
【発明の効果】
【０００７】
この発明による回路遮断器では、遮断器カバーが遮断器ベースに取り付けられた状態において、設定モジュールは、遮断器カバーの取付窓を通じて遮断器ベースに向かって挿入され、モジュール側係合部を本体側係合部に係合して前記遮断器本体に取り付けられるので、遮断器カバーを遮断器ベースに取り付けた状態において、簡単に設定モジュールを遮断器本体に取り付けることができる。併せて、遮断器カバーが遮断器ベースに取り付けられた状態では、遮断器カバーにより、モジュール側係合部と本体側係合部との係合を解除する操作が不能とされるので、遮断器カバーが遮断器ベースに取り付けられた状態、すなわち接点が遮断器カバーにより覆われ、接点に通電が可能とされる状態では、遮断器カバーにより、設定モジュールを遮断器本体から取り外すことは困難であり、したがって、遮断器カバーを利用する簡単な構造で、通電中に設定モジュールが遮断器本体から取り外されることによる不安定動作を回避できる。
【発明を実施するための最良の形態】
【０００８】
以下この発明のいくつかの実施の形態について、図面を参照して説明する。
【０００９】
実施の形態１．
図１から図５は、この発明による回路遮断器の実施の形態１を示すもので、図１はその電気回路図、図２は実施の形態１の正面側の斜視図、図３は実施の形態１の一部分の分解斜視図、図４は実施の形態１の一部分の断面図、図５は実施の形態１の設定モジュールの斜視図である。
【００１０】
図１の電気回路図において、実施の形態１の回路遮断器１００は、遮断器本体１０と、これに取り外し可能に取り付けられた設定モジュール５０とを備えている。遮断器本体１０は、外部端子１１、１２と、この外部端子１１、１２を接続する電気回路１３と、この電気回路１３に配置された電気接点１５と、電源用変成器１７と、信号用変成器１８と、電気接点１５を開閉制御する制御装置２０とを有する。
【００１１】
外部端子１１、１２、電気回路１３、電気接点１５、電源用変成器１７、および信号用変成器１８はそれぞれ三相として構成されており、電気接点１５は外部端子１１、１２間の三相電気回路１３の各相をオン、オフする。電源用変成器１７、信号用変成器１８は、三相の電気回路１３に誘導結合しており、それぞれ電気接点１５がオンしたときに、電源電圧Ｖｄ、信号電圧Ｖｓを出力する。信号電圧Ｖｓは電気回路１３を流れる電流に比例した大きさを持つ。
【００１２】
制御装置２０は、電源回路２１と、信号処理回路２３と、制御回路２５と、引き外し回路２７とを有する。電源回路２１は電源用変成器１７から電源電圧Ｖｄの供給を受け、制御装置２０の各部へ制御用直流電源電圧Ｖｃｃを給電する。信号処理回路２３は、信号用変成器１８から信号電圧Ｖｓを受け、それを信号処理した直流制御信号Ｖｓｓを制御回路２５に供給する。制御回路２５は、マイクロコンピュータを含み、制御信号Ｖｓｓを監視しながら、マイクロコンピュータに設定された所定の引き外し動作特性に基づき、電気接点１３をオフさせるべき状態で、引き外し回路２７に引き外し信号Ｖｂを供給する。引き外し回路２７は電気接点１５と連結され、引き外し信号Ｖｂに基づき電気接点１５をオフさせる。
【００１３】
制御回路２５のマイクロコンピュータは、プロセッサＣＰＵと、ＲＡＭメモリ、ＲＯＭメモリを含み、ＲＯＭメモリに記憶されたプログラムに基づいて所定の制御動作を行なう。ＲＡＭメモリには制御データが記憶され、プロセッサＣＰＵはこの制御データを用いて制御信号Ｖｓｓを監視する。設定モジュール５０は遮断器本体１０に取り付けられたとき、制御回路２５に接続され、そのＲＡＭメモリに回路遮断器１００の引き外し動作特性を設定する。
【００１４】
実施の形態１の機械的な構造について、図２〜図５を参照して説明する。遮断器本体１０は、図２に示すように遮断器ベース３０と遮断器カバー４０とを有する。図２は遮断器ベース３０に遮断器カバー４０および設定モジュール５０を取り付けた状態を示している。遮断器ベース３０および遮断器カバー４０は樹脂を成型して作られる。
【００１５】
遮断器ベース３０には、図１に示す外部端子１１、１２、電気回路１３、電気接点１５、電源用変成器１７、信号用変成器１８、制御装置２０、図２に示す開路ボタン４３、閉路ボタン４５、操作レバー４７が配置される。制御装置２０は図３に示す制御ケース３１に収納されている。遮断器カバー４０は、例えば取付孔４１を用いて、ねじにより遮断器ベース３０に取り外し可能に取り付けられ、遮断器ベース３０上に配置された電気回路１３、電気接点１５、電源用変成器１７および信号用変成器１８を覆う。遮断器カバー４０には、適所に複数の孔が形成されており、遮断器ベース３０上に配置された開路ボタン４３、閉路ボタン４５、操作レバー４７が各孔を通じて、遮断器カバー４０の表面に現れる。開路ボタン４３は任意に電気接点１５を開路し、閉路ボタン４５は任意に電気接点１５を閉路するためのものである。操作レバー４７は、電気接点１５を閉路させるためのエネルギーを蓄圧するためのものである。
【００１６】
遮断器カバー４０には、遮断器カバー４０を遮断器ベース３０に取り付けた状態において、設定モジュール５０を取り付けるための取付窓４８が形成されている。設定モジュール５０は、遮断器カバー４０の取付窓４８を通して遮断器ベース３０に向かって挿入され、この遮断器ベース３０に取り付けられる。
【００１７】
遮断器ベース３０には、図３に示すように制御ケース３１が取り付けられ、この制御ケース３１内には、図１に示す制御装置２０が内蔵される。この制御ケース３１の外側には、設定モジュール５０を取り付ける取付凹部３１ａが形成され、この取付凹部３１ａに、設定モジュール５０が取り外し可能に取り付けられる。
【００１８】
この設定モジュール５０とその取り付け構造について、図４、図５を参照して説明する。図４は遮断器カバー４０を遮断器ベース３０に取り付け、また遮断器カバー４０の取付窓４８を通じて設定モジュール５０を遮断器ベース３０に取り付けた状態を示している。
【００１９】
設定モジュール５０を取り付けるための取付凹部３１ａにおいて、制御ケース３１の両側壁には、設定モジュール５０を取り付けるための本体側係合部３３、３４が突設されている。これらの本体側係合部３３、３４は、制御ケース３１と一体に形成され、互いに対向している。この本体側係合部３３、３４には、その突出端に互いに相手方に向かって折曲がった折曲部３３ａ、３４ａが形成される。また、各本体側係合部３３、３４の間には、一対の互いに対向する本体側ケース板３５、３６が制御ケース３１と一体に突設される。この本体側ケース板３５、３６の間には、本体側回路基板３７が設置され、この本体側回路基板３７には本体側コネクタ３８が取り付けられている。また、本体側ケース板３５、３６には、折曲部３３ａ、３４ａと対向する補助折曲部３５ａ、３６ａがケース板３５、３６と一体に形成されている。
【００２０】
設定モジュール５０は、樹脂製のモジュールベース５１を有し、このモジュールベース５１の裏面の中央にはモジュールケース５３がモジュールベース５１と一体に形成されている。このモジュールケース５３は長方形の枠状に形成され、本体側ケース板３５、３６に嵌め込まれる。このモジュールケース５３内には、モジュール側回路基板５５が配置され、このモジュール側回路基板５５には、モジュール側コネクタ５７が取り付けられている。このモジュール側コネクタ５７は、本体側コネクタ３８に嵌め込まれて、接続が行なわれる。
【００２１】
モジュールベース５１の両側には一対の取付板部６１、６２が形成されている。この一対の取付板部６１、６２は、モジュールベース５１と一体に樹脂で形成され、モジュールベース５１とほぼ平行にその両側に延長されている。この各取付板部６１、６２の延長方向の外縁６１ａ、６２ａには、それぞれモジュール側係合部６３、６４が形成されている。このモジュール側係合部６３、６４は、モジュールベース５１および取付板部６１、６２と一体に樹脂で形成され、取付板部６１、６２から直角に折れ曲がり、遮断器ベース３０に向かって突出している。このモジュール側係合部６３、６４の突出端には、本体側係合部３５、３６の折曲部３５ａ、３６ａに係合する鉤状片６３ａ、６４ａが形成されている。モジュール側係合部６３、６４は所定の弾性を持ち、この弾性に基づくスナップ動作により、本体側係合部３５、３６の折曲部３５ａ、３６ａに係合する。
【００２２】
遮断器カバー４０の取付窓４８は長方形の形状であり、図４に示されるように、相対向する一対の開口壁４８ａ、４８ｂを有する。この開口壁４８ａ、４８ｂは、遮断器カバー４０が遮断器ベース３０に取り付けられ、また設定モジュール５０が取付凹部３１ａに取り付けられた状態で、取付板部６１、６２の外縁６１ａ、６２ａの僅かに外側に位置する。言い換えれば、設定モジュール５０の取付板部６１、６２の外縁６１ａ、６２ａで規定される設定モジュール５０の横幅Ｗ１に対し、取付窓４８の開口壁４８ａ、４８ｂの間隔Ｗ２は次の関係にある。
Ｗ２＝Ｗ１＋２α
【００２３】
ただし、αは取付窓４８の開口壁４８ａ、４８ｂのそれぞれと、モジュール５０の取付板部６１、６２の外縁６１ａ、６２ａとの間の隙間である。この隙間αは、人の手の指に比べて、充分に小さく設定され、人の手の指が各隙間αから挿入されるのを阻止する。このため、取付窓４８を通じて設定モジュール５０を遮断器ベース３０の制御カバー３１の取付凹部３１ａに取り付けることは可能であるが、遮断器カバー４０が遮断器ベース３０に取り付けられた状態では、設定モジュール５０を取り外すことは不能となる。
【００２４】
さて、設定モジュール５０の取り付け操作について説明する。遮断器カバー４０が遮断器ベース３０に取り付けられた状態において、設定モジュール５０はそのモジュール側係合部６３、６４が制御ケース３１の取付凹部３１ａに向くように配置され、この状態で遮断器ベース３０に向かって取付窓４８を通じて挿入される。
【００２５】
この設定モジュール５０の挿入操作において、モジュール側係合部６３、６４の鉤状部６３ａ、６４ａは最初に本体側係合部３３、３４の折曲部３３ａ、３４ａに接触する。この状態からさらに設定モジュール５０を遮断器ベース３０に向かって挿入すると、モジュール側係合部６３、６４は、その鉤状部６３ａ、６４ａが折曲部３３ａ、３４ａを乗り越えるように変形し、鉤状部６３ａ、６４ａが折曲部３３ａ、３４ａを乗り越えた状態でそのスナップ動作により、鉤状部６３ａ、６４ａが折曲部３３ａ、３４ａにしっかりと係合し、この状態で設定モジュール５０を取付凹部３１ａに取り付ける操作が完了する。
【００２６】
この設定モジュール５０が取付凹部３１ａに取り付けられた状態では、遮断器カバー４０の取付窓４８の開口壁４８ａ、４８ｂが取付板部６１、６２の外縁６１ａ、６２ａに隣接してその僅かに外側に位置し、隙間αが形成される。この隙間αは、人の手の指の挿入を阻止するので、遮断器カバー４０が遮断器ベース３０に取り付けられている状態では、モジュール側係合部６３、６４を操作することは不可能であり、モジュール側係合部６３、６４と本体側係合部３５、３６との係合を解除する操作は不可能である。遮断器カバー４０は、電気接点１５が閉路された通電状態において、遮断器ベース３０から取り外されることはなく、したがって、遮断器本体１０内の電気接点１５が閉路された状態で、設定モジュール５０を取り外すことは不可能である。
【００２７】
設定モジュール５０を遮断器ベース３０から取り外す場合には、それに先行して、電気接点１５が開路され、その後に遮断器カバー４０を遮断器ベース３０から取り外す。遮断器カバー４０が取り外されると、設定モジュール５０は剥き出しの状態となるので、モジュール側係合部６３、６４を人の手で操作し、その鉤状部６３ａ、６４ａと折曲部３５ａ、３６ａとの係合を外すことができ、これにより、設定モジュール５０が取付凹部３１ａから取り外される。
【００２８】
以上のように実施の形態１では、遮断器カバー４０の取付窓４８を通じて設定モジュール５０を遮断器ベース３０に向かって挿入することにより、設定モジュール５０を簡単に取り付けることができ、併せて遮断器カバー４０により、モジュール側係合部６３、６４と本体側係合部３５、３６との係合を解除する操作が不能とされるので、電気接点１５の通電中に、設定モジュール５０が取り外される事態を防止することができ、それに伴なう回路遮断器１００の不安定動作を解消できる。また、遮断器カバー４０を遮断器ベース３０から取り外すことにより、設定モジュール５０を取り外すことができるので、設定モジュール５０の交換も可能である。
【００２９】
実施の形態２．
図６から図９はこの発明による回路遮断器の実施の形態２を示す。図６は遮断器カバー４０を遮断器ベース３０に取り付けた状態における実施の形態の正面側の斜視図、図７は実施の形態２の一部分の分解斜視図、図８は遮断器カバー４０とダミーモジュール５０Ａを遮断器ベース３０に取り付けた状態における実施の形態２の一部分の断面図、図９は実施の形態２に使用されるダミーモジュール５０Ａの斜視図である。
【００３０】
この実施の形態２は、設定モジュール５０を取り付ける前に、設定モジュール５０に代わり、ダミーモジュール５０Ａを取り付けるようにしたものである。このダミーモジュール５０Ａは、設定モジュール５０と同一の形状、寸法を持ちながら、制御装置２０に制御データを設定することが不可能なモジュールであり、モジュール側回路基板５５およびモジュール側コネクタ５７を持たないモジュールであり、簡単に取り外しできるように構成される。
【００３１】
ダミーモジュール５０Ａでは、特に図８から明らかなように、そのモジュール側係合部６５、６６の鉤状部６５ａ、６６ａは本体側係合部３３、３４の内側に位置する本体側ケース板３５、３６の補助折曲部３５ａ、３６ａに係合している。このダミーモジュール５０Ａは、その取付板部６１、６２の外縁６１ａ、６２ａの表面側に、係合解除レバー７１、７２を有する。この係合解除レバー７１、７２は、遮断器カバー４０が遮断器ベース３０に取り付けられた状態において、ダミーモジュール５０Ａのモジュール側係合部６５、６６と補助折曲部３５ａ、３６ａとの係合を解除させるために設けられる。
【００３２】
係合解除レバー７１、７２は、取付板部６１、６２の外縁６１ａ、６２ａに、その裏面のモジュール側係合部６５、６６と反対に、取付板部６１、６２の表面側に直角に折曲がって、取付板部６１、６２と一体に樹脂により形成されている。この係合解除レバー７１、７２は、取付窓４８からその外部に突出しており、この係合解除レバー７１、７２を互いに他方に向かって引き寄せるように、矢印Ａ方向に操作することにより、モジュール側係合部６５、６６と補助折曲部３５ａ、３６ａとの係合を解除し、ダミーモジュール５０Ａを取付凹部３１ａから取り外す。その他の構成は実施の形態１と同じであり、同じ部分を同じ符号で示し、説明を省略する。
【００３３】
ダミーモジュール５０Ａは、回路遮断器に設定モジュール５０を取り付ける前に、設定モジュール５０に代わって、遮断器ベース３０の取付凹部３１ａに取り付けられる。このダミーモジュール５０Ａは、例えば回路遮断器の運搬中において、設定モジュール５０に代わって取り付けられ、回路遮断器の運搬中に設定モジュール５０が損傷するような事故を防止する。回路遮断器１００の実際の使用に際しては、ダミーモジュール５０Ａが係合解除レバー７１、７２により取り外され、実施の形態１で説明したように、設定モジュール５０が取付凹部３１ａに取り付けられる。
【００３４】
以上のように実施の形態２によれば、設定モジュール５０に代わってダミーモジュール５０Ａを遮断器本体１０に取り付けることができ、またこのダミーモジュール５０Ａを取り外し、設定モジュール５０を遮断器本体１０に容易に取り付けることができる。
【００３５】
実施の形態３．
図１０はこの発明による回路遮断器の実施の形態３で使用されるダミーモジュール５０Ｂを示す斜視図である。このダミーモジュール５０Ｂでは、取付板部６１、６２に機械的な脆弱部７５が形成されており、この脆弱部７５は、例えば複数の小孔により構成される。このダミーモジュール５０Ｂでは、実施の形態１で説明したモジュール側係合部６３、６４が取付板部６１、６２の外縁６１ａ、６２ａの裏面側に突設され、その表面側には、実施の形態２で説明した係合解除レバー７１、７２が突設されている。これらのモジュール側係合部６３、６４および係合解除レバー７１、７２はモジュールベース５１および取付板部６１、６２と一体に形成される。その他の構成は実施の形態１と同じであり、同じ部分を同じ符号で示し、説明を省略する。
【００３６】
脆弱部７５は、取付板部６１、６２に、係合解除レバー７１、７２に近接して形成される。この脆弱部７５は係合解除レバー７１、７２のモジュールベース５１寄りの取付板部６１、６２に形成され、取付板部６１、６２に機械的な脆弱部を提供する。なお、脆弱部７５は、複数の小孔に代わって、単数または複数の溝によって構成することもできる。
【００３７】
実施の形態３では、取付板部６１、６２は脆弱部７５に基づき、容易に変形可能となり、係合解除レバー７１、７２を互いに外側に向けて矢印Ｂ方向に操作することにより、モジュール側係合部６３、６４と本体側の折曲部３３ａ、３４ａとの係合を解除する操作を、より小さな操作力で行なえるようにし、その係合解除操作をより容易にする。
【００３８】
実施の形態４．
図１１はこの発明による回路遮断器の実施の形態４の一部分の分解斜視図である。この実施の形態４では、設定モジュール５０に、表示手段８０が付設されている。この表示手段８０は、例えば発光ダイオードで構成され、設定モジュール５０が遮断器ベース３０の取付凹部３１ａに取り付けられ、モジュール側コネクタ５７が本体側コネクタ３８に接続されたときに発光し、設定モジュール５０が取り付けられたことを表示する。その他の構成は実施の形態１と同じであり、同じ部分を同じ符号で示し、説明を省略する。
【００３９】
この実施の形態４によれば、表示手段８０により、設定モジュール５０が遮断器ベース３０に取り付けられた状態を簡単に確認できる効果がある。
【産業上の利用可能性】
【００４０】
この発明による回路遮断器は、電子式トリップを有する回路遮断器として、家庭用、産業用の回路遮断器に利用できる。
【図面の簡単な説明】
【００４１】
【図１】この発明による回路遮断器の実施の形態１の電気回路図。
【図２】実施の形態１の回路遮断器に正面側斜視図。
【図３】実施の形態１の回路遮断器の一部分の分解斜視図。
【図４】実施の形態１の回路遮断器の一部分の断面図。
【図５】実施の形態１の回路遮断器に使用された設定モジュールの斜視図。
【図６】この発明による回路遮断器の実施の形態２の正面側斜視図。
【図７】実施の形２の回路遮断器の一部分の分解斜視図。
【図８】実施の形態２の回路遮断器の一部分の断面図。
【図９】実施の形態２の回路遮断器に使用されたダミーモジュールの斜視図。
【図１０】この発明による回路遮断器の実施の形態３に使用されるダミーモジュールの斜視図。
【図１１】この発明による回路遮断器の実施の形態４の一部分の分解斜視図。
【符号の説明】
【００４２】
１０：遮断器本体、１５：電気接点、２０：制御装置、
３０：遮断器ベース、３５、３６：本体側係合部、
４０：遮断器カバー、４８：取付窓、
５０：設定モジュール、５１：モジュールベース、６３、６４：モジュール側係合部、
５０Ａ、５０Ｂ：ダミーモジュール、７５：脆弱部、８０：表示手段、
１００：回路遮断器。
【図１】
2005149756.tif 000003
【図２】
2005149756.tif 000004
【図３】
2005149756.tif 000005
【図４】
2005149756.tif 000006
【図５】
2005149756.tif 000007
【図６】
2005149756.tif 000008
【図７】
2005149756.tif 000009
【図８】
2005149756.tif 000010
【図９】
2005149756.tif 000011
【図１０】
2005149756.tif 000012
【図１１】
2005149756.tif 000013